(57)【要約】【課題】  髪束をロッドに巻き付ける際に毛先が折れ難く、しわが寄り難い素材を使用することにより再利用が容易に行え、更には髪束を巻き付けたコールドペーパーを巻き戻す際にロッドを強く引っ張る必要もなく容易に巻き戻せることにより頭皮に痛みを感じることのないコールドペーパーを得る。【解決手段】  コールドペーパーの形状として、長方形状の巻き付け部の上部に台形状の巻き始め部を設ける。また、コールドペーパーの素材として、ポリエステル又はナイロン又はポリプロピレンの何れか一つを原料としたスパンボンド法による合繊長繊維不織布とする。【選択図】        図１
2006175185.tif 000002
【特許請求の範囲】
【請求項１】
長方形状の巻き付け部の上部に台形状の巻き始め部を設けた形状とし、ポリエステル又はナイロン又はポリプロピレンの何れか一つを原料としたスパンボンド法による合繊長繊維不織布を素材としたことを特徴とした、コールドペーパー。
【発明の詳細な説明】
【技術分野】
【０００１】  本発明は、コールドパーマを施す場合において髪束をロッドに巻き付ける時に用いるコールドペーパーに関し、特に巻き付け及び巻き戻しが容易であると共に数回の再利用が可能なコールドペーパーに関するものである。
【背景技術】
【０００２】  従来、美容院等において頭髪を所望の形状にセットする方法として、コールドパーマが一般的に実施されている。該コールドパーマを施す作業の手順として、頭髪を所定のブロック毎にまとめ、適量の髪束をくしで分け、コールドペーパーを前記分け取った髪束に当接し、該髪束の先端部よりロッドに巻き始め、頭髪の根元まで巻き付けたのち、ロッドの両端に輪ゴムを掛けて固定を行う。（以後、ワインディング作業と言う）次に、該ワインディング作業を頭髪全体又は所望箇所に行ったのち、コールドパーマ液をスポイト等を用いてロッドに巻き付けた髪束に振り掛け、頭髪全体にカバーを被せる。一定時間経過したのちカバーを外し、ロッドの両端に掛けた輪ゴムを外して頭髪からロッドやコールドペーパーを取り除き、洗髪してコールドパーマの作業を終了する。【０００３】  また、上記ワインディング作業においてロッドがプラスチック製であるためコールドペーパーが滑り易く、指先に対しても滑り易いという問題点があり、特開平１０−２０１５２４号公報の「コールドパーマ用コールドペーパー」においては、コールドペーパーの表面及び繊維内に粉状の珪藻土を付着させコールドペーパーが記載されている。
【特許文献１】特開平１０−２０１５２４
【発明の開示】
【発明が解決しようとする課題】
【０００４】  しかしながら、従来のコールドペーパーや前記公報に記載されているコールドペーパーの形状は一般的に長方形をしており、髪束をロッドに巻き付ける際に毛先が折れ易く、洗髪後に毛先をカットする必要があるという問題点があった。また、長繊維紙や和紙を素材としたコールドペーパーを再利用する場合、該コールドペーパーを洗ったあとにしわが寄るため、延ばすのに手間が掛かってしまうという問題点があった。また、ロッドより輪ゴムを外して髪束を巻き付けたコールドペーパーを巻き戻す際に、該コールドペーパーが巻き付けられた状態を保持しているためロッドを強く引っ張る必要があり、この時に頭皮に痛みを感じてしまうという問題点があった。【０００５】  本発明は、上記のような問題点を解決するために成されたものであり、髪束をロッドに巻き付ける際に毛先が折れ難く、しわが寄り難い素材を使用することにより再利用が容易に行え、更には髪束を巻き付けたコールドペーパーを巻き戻す際にロッドを強く引っ張る必要もなく容易に巻き戻せることにより頭皮に痛みを感じることのないコールドペーパーを提供することを目的とする。
【課題を解決するための手段】
【０００６】  上記課題を解決するため、本発明のコールドペーパーにおいては、長方形状の巻き付け部の上部に台形状の巻き始め部を設けた形状とし、ポリエステル又はナイロン又はポリプロピレンの何れか一つを原料としたスパンボンド法による合繊長繊維不織布を素材とする。
【発明の効果】
【０００７】  本発明のコールドペーパーを用いてコールドパーマを施すようにすれば、コールドペーパーの巻き始め部を先にロッドに巻くため、コールドペーパーとロッドがしっかりと当接して滑り難くなりワインディング作業が容易になる。従って、髪束をロッドに巻き付ける際に毛先が折れ難くなるという効果を奏する。また、しわが寄り難い素材を使用することにより再利用が容易に行えると共に、髪束を巻き付けたコールドペーパーを巻き戻す際にロッドを強く引っ張る必要もなく容易に巻き戻せることにより頭皮に痛みを感じることがなくなるという絶大なる効果を奏することができる。
【発明を実施するための最良の形態】
【０００８】  本発明を実施するための最良の形態を図を用いて説明する。【０００９】  図１は本発明のコールドペーパーの外形図であり、（ａ）は正面図、（ｂ）は底面図である。本発明のコールドペーパー１は、長方形状の巻き付け部２の上部に台形状の巻き始め部３を設けた形状とする。該台形状の巻き始め部３は、両側を適度な大きさでコーナーカットしたコーナー部４，４と先端部５により形成される。該台形状の巻き始め部３の長さは２０ｍｍ程度が好適である。このため、従来のコールドペーパーの大きさが幅６５ｍｍ程度，長さ１００〜１１０ｍｍ程度であるため、本発明のコールドペーパー１の大きさは幅６５ｍｍ程度，長さ１２０〜１３０ｍｍ程度となる。【００１０】  また、コールドペーパー１の素材として、ポリエステル又はナイロン又はポリプロピレンの何れか一つを原料としたスパンボンド法による合繊長繊維不織布とする。該合繊長繊維不織布は、合成繊維の紡糸，繊維ウェブ形成及びボンディングの３工程で製造される合成繊維のフィラメントを使用した不織布であり、張りが強く、通気性，保温性，耐熱性，耐薬品性等に優れたものである。
【実施例】
【００１１】  本発明の実施例を図を用いて説明する。【００１２】  図２は本発明のコールドペーパーを用いて髪束をロッドに巻き始める時の状態図であり、ワインディング作業を行う場合において、まず頭髪を所定のブロック毎にまとめ、適量の髪束６をくしで分け、コールドペーパー１の巻き付け部２に前記分け取った髪束６に当接する。次に該コールドペーパー１の巻き始め部３の先端部５をロッド７の芯８に当接し、コールドペーパー１の巻き始め部３を先にロッド７に巻き始める。このため、コールドペーパー１がロッド７と滑ることなくしっかりと且つ容易に巻き始めることができる。【００１３】  次に、図３は本発明のコールドペーパーを用いて髪束をロッドに巻き付けている時の状態図であり、コールドペーパー１とロッド７がしっかりと当接して滑ることなく、図中矢印方向にワインディング作業が行える。従って、髪束６をロッド７に巻き付ける際にも毛先が折れ難くなる。【００１４】  ワインディング作業終了後、コールドパーマ液をスポイト等を用いてロッド７に巻き付けた髪束６に振り掛け、頭髪全体にカバーを被せる。一定時間経過したのちカバーを外し、ロッド７の両端に掛けた輪ゴムを外して頭髪からロッド７やコールドペーパー１を取り除く際において、ポリエステル又はナイロン又はポリプロピレンの何れか一つを原料としたスパンボンド法による合繊長繊維不織布の特徴の一つである張りの強さにより自然に戻る力が作用し、ロッドを強く引っ張る必要もなく容易に巻き戻せるため頭皮に痛みを感じることもない。【００１５】  また、上記張りの強さによりしわが寄り難くなり、数回程度の再利用も容易に行えることになる。
【図面の簡単な説明】
【００１６】
【図１】本発明のコールドペーパーの外形図である。
【図２】本発明のコールドペーパーを用いて髪束をロッドに巻き始める時の状態図である。
【図３】本発明のコールドペーパーを用いて髪束をロッドに巻き付けている時の状態図である。
【符号の説明】
【００１７】    １  コールドペーパー
２  巻き付け部
３  巻き始め部
４  コーナー部
５  先端部
６  髪束
７  ロッド
８  芯
【図１】
2006175185.tif 000003
【図２】
2006175185.tif 000004
【図３】
2006175185.tif 000005